(57)【要約】【課題】従来よりも消費電力を大幅に削減することができ、保守に要する費用や時間の低減、装置の長寿命化を図ることができると共に、小型化が容易で、様々な設備や機器に設置することが可能なワイヤレスセンサ及びこれを用いたワイヤレス監視システムを提供する。【解決手段】ワイヤレスセンサ１２は、電力を供給可能な電源部１２Ａと、無電力で作動するセンサを備え、このセンサがＯＮ状態の時に電源部１２Ａの電力を供給可能とし、センサがＯＦＦ状態の時に電源部１２Ａの電力を供給不能とするセンサスイッチ部１２Ｃと、このセンサスイッチ部１２Ｃから電源部１２Ａの電力を供給されて、所定の情報を無線で外部に発信可能な発信部１２Ｅと、を有して構成されている。【選択図】図２
2007108884.tif 000002
【特許請求の範囲】
【請求項１】
電力を供給可能な電源部と、
無電力で作動するセンサを備え、該センサがＯＮ状態の時に前記電源部の電力を供給可能とし、前記センサがＯＦＦ状態の時に前記電源部の電力を供給不能とするセンサスイッチ部と、
該センサスイッチ部から前記電源部の電力を供給されて、所定の情報を無線で外部に発信可能な発信部と、
を有して構成されていることを特徴とするワイヤレスセンサ。
【請求項２】
請求項１において、
前記センサスイッチ部と前記発信部との間に、前記電源部の電力を充電可能な充電部を更に配設したことを特徴とするワイヤレスセンサ。
【請求項３】
請求項１又は２において、
前記電源部の電力を前記発信部に定期的に供給可能なタイマ起動部を更に備え、
前記発信部は、前記タイマ起動部から前記電源部の電力を供給されて、前記所定の情報を定期的に外部に発信可能に構成されていることを特徴とするワイヤレスセンサ。
【請求項４】
請求項１乃至３のいずれかにおいて、
前記電源部が、前記電力を自身で発電可能に構成されていることを特徴とするワイヤレスセンサ。
【請求項５】
請求項１乃至４のいずれかにおいて、
前記センサスイッチ部を複数備えていることを特徴とするワイヤレスセンサ。
【請求項６】
請求項５において、
前記複数のセンサスイッチ部の各々が、検出対象が相異なるセンサを備えていることを特徴とするワイヤレスセンサ。
【請求項７】
請求項１乃至６のいずれかに記載のワイヤレスセンサと、
該ワイヤレスセンサから発信される前記所定の情報を受信して、該所定の情報に基づいて、少なくとも前記ワイヤレスセンサの設置場所及び異常感知の有無を監視することが可能な監視装置と、
を有して構成されていることを特徴とするワイヤレス監視システム。
【請求項８】
請求項７において、
前記監視装置は、前記ワイヤレスセンサの設置場所及び異常感知の有無の情報を少なくとも含むワイヤレスセンサ情報を外部に配信可能に構成されていることを特徴とするワイヤレス監視システム。
【発明の詳細な説明】
【技術分野】
【０００１】
本発明は、温度、振動、圧力などの変化を感知して、異常感知の有無などを無線で外部に発信することが可能なワイヤレスセンサ及びこれを用いたワイヤレス監視システムに関する。
【背景技術】
【０００２】
従来、温度、振動、圧力などの変化を感知して、異常感知の有無などを無線で外部に発信することが可能なワイヤレスセンサが広く知られている。このようなワイヤレスセンサは、有線式のセンサに比べ、線材の引き回しや保守が不要であるといった利点がある一方で、無線通信を長時間に亘って行う必要があるため、消費電力が大きい上に、一般に大型の電源を備えている必要があり、装置の小型化が困難であるといった問題点があった。
【０００３】
このような問題点を解決する一手段として、特許文献１には、無線通信を行う必要が無い場合には制御部（マイクロコンピュータ）を待機状態に設定し、電力の消費を抑えるように構成したワイヤレスセンサが開示されている。
【特許文献１】特開２００３−１６５６６号公報
【発明の開示】
【発明が解決しようとする課題】
【０００４】
しかしながら、上述の特許文献１に開示されたワイヤレスセンサでは、無線通信を行っていない場合でも制御部によって電力が消費されるため、消費電力の削減には限界があった。そのため、電源交換などの保守作業を短い間隔で行う必要があり、保守に要する費用や時間が増大してしまうといった問題点があった。
又、保守作業の頻度を少なくために電源を大容量化することも考えられるが、装置の大型化を回避することが困難となり、取り付け可能な設備や機器が制限されてしまうといった問題点もあった。
本発明は、このような問題点を解決するためになされたものであって、従来よりも消費電力を大幅に削減することができ、保守に要する費用や時間の低減、装置の長寿命化を図ることができると共に、小型化が容易で、様々な設備や機器に設置することが可能なワイヤレスセンサ及びこれを用いたワイヤレス監視システムを提供することを目的とする。
【課題を解決するための手段】
【０００５】
本発明に係るワイヤレスセンサは、電力を供給可能な電源部と、無電力で作動するセンサを備え、該センサがＯＮ状態の時に前記電源部の電力を供給可能とし、前記センサがＯＦＦ状態の時に前記電源部の電力を供給不能とするセンサスイッチ部と、該センサスイッチ部から前記電源部の電力を供給されて、所定の情報を無線で外部に発信可能な発信部と、を有して構成されていることによって、上記課題を解決したものである。
なお、本発明に係る「センサスイッチ部」としては、例えば、磁性体からなるセンサを備えた感温磁性体センサスイッチや、形状記憶合金からなるセンサを備えた形状記憶合金センサスイッチなどの温度センサスイッチや、圧電素子やピエゾフィルム素子などからなるセンサを備えた外力起電型の振動センサスイッチや圧力センサスイッチなどが挙げられる。
又、「センサがＯＮ状態の時」とは、センサが予め定められた閾値に基づいて検出対象である温度、振動、圧力などの異常を感知した状態をいい、「センサがＯＦＦ状態の時」とは、センサが検出対象である温度、振動、圧力などの異常を感知していない状態をいう。
本発明によれば、センサがＯＦＦ状態の時にはワイヤレスセンサ全体の消費電力を０にすることができる。そのため、従来よりも消費電力を大幅に削減することができ、保守に要する費用や時間の低減、装置の長寿命化を図ることができる。又、従来のワイヤレスセンサのように大容量の電源を搭載する必要が無いため、装置の小型化が容易で、様々な設備や機器に設置することができる。しかも、無線を利用するため、配線の引き回しが不要で取付が容易である。
【０００６】
なお、前記センサスイッチ部と前記発信部との間に、前記電源部の電力を充電可能な充電部を更に配設すれば、センサが閾値近傍でＯＮ／ＯＦＦ状態を繰り返し、センサスイッチ部からの電力供給が不安定になった場合でも、充電部に充電された電力を発信部に供給することができ、発信部に安定的な電力を供給することができる。
【０００７】
又、前記電源部の電力を前記発信部に定期的に供給可能なタイマ起動部を更に備え、前記発信部は、前記タイマ起動部から前記電源部の電力を供給されて、前記所定の情報を定期的に外部に発信可能に構成されていれば、センサがＯＮ状態の時のみならず、センサがＯＦＦ状態の時であっても所定の情報を定期的に外部に発信することができ、例えば、ワイヤレスセンサが正常に稼動していることを定期的に外部に発信することができ、ワイヤレスセンサの健全性を確認することができる（ワイヤレスセンサのバッテリー切れや故障などを把握することができる）。
更に、前記電源部が、前記電力を自身で発電可能に構成されていれば、電池交換などの作業が不要となり、メンテナンス性を高めることができる上に、更なる省電力化を図ることができる。
【０００８】
更に又、前記センサスイッチ部を複数備えていれば、複数種類の異常の有無を検出することが可能となる。特に、前記複数のセンサスイッチ部の各々が、検出対象の相異なるセンサを備えていれば、異なる検出対象（例えば、温度、圧力、振動）の異常の有無を検出することが可能となる。
なお、上述のワイヤレスセンサと、該ワイヤレスセンサから発信される前記所定の情報を受信して、該所定の情報に基づいて、少なくとも前記ワイヤレスセンサの設置場所及び異常感知の有無を監視することが可能な監視装置と、を有して構成されたワイヤレス監視システムとすれば、ワイヤレスセンサを工場やビルなどの要所に配設することによって、工場やビル内の異常の有無を監視することができる上に、異常の見つかった場所を容易に特定することができる。
又、前記監視装置は、前記ワイヤレスセンサの設置場所及び異常感知の有無の情報を少なくとも含むワイヤレスセンサ情報を外部に配信可能に構成されていれば、例えば、電話回線やインターネットを介してワイヤレスセンサ情報を取得することができ、監視装置から離れた場所においても工場やビル内の異常の有無を監視することができる。
【発明の効果】
【０００９】
本発明に係るワイヤレスセンサによれば、従来よりも消費電力を大幅に削減することができ、保守に要する費用や時間の低減、装置の長寿命化を図ることができると共に、小型化が容易で、様々な設備や機器に設置することが可能であるという優れた効果を有する。
【００１０】
又、本発明に係るワイヤレス監視システムによれば、ワイヤレスセンサを工場やビルなどの要所に配設することによって、工場やビル内の異常の有無を監視することができる上に、異常の見つかった場所を容易に特定することができる。
【発明を実施するための最良の形態】
【００１１】
以下、図面を用いて、本発明の実施例１に係るワイヤレス監視システム１０について詳細に説明する。
【実施例１】
【００１２】
図１は、本実施例１に係るワイヤレス監視システム１０の概略構成を示したシステム構成図である。
【００１３】
このワイヤレス監視システム１０は、複数（図１には一例として５個のみ図示）のワイヤレスセンサ１２と、これらの各ワイヤレスセンサ１２から送信される電波を受信・増幅して送信する中継機１４と、この中継機１４から発信される各ワイヤレスセンサ１２に関する情報を受信して、この情報に基づいて、ワイヤレスセンサ１２の設置場所や異常感知の有無を監視する監視装置１６と、を有して構成されている。
なお、本実施例１では、ワイヤレスセンサ１２と監視装置１６の間に中継機１４を介在させ、中継機１４において電波を増幅する構成を採用したが、本発明はこれに限定されるものではなく、例えば、各ワイヤレスセンサ１２からの電波が十分に届く範囲（例えば、図１中のＡ１で示される半径が約５０ｍの範囲）に監視装置１６を配設した場合などには、ワイヤレスセンサ１２からの電波を監視装置１６で直接受信するように構成してもよい。
＜ワイヤレスセンサ＞
【００１４】
図２は、ワイヤレスセンサ１２の主要部のみを示したブロック図である。
【００１５】
このワイヤレスセンサ１２は、リチウム電池からなる電源部１２Ａと、この電源部１２Ａに並列接続されたタイマ起動部１２Ｂ及びセンサスイッチ部１２Ｃと、これらタイマ起動部１２Ｂ及びセンサスイッチ部１２Ｃを介して供給される電源部１２Ａの電力を充電可能な充電部１２Ｄと、この充電部１２Ｄから電源部１２Ａの電力を供給されて、所定の情報を無線で外部に発信可能な発信部１２Ｅと、を有して構成されている。
【００１６】
電源部１２Ａは、ワイヤレスセンサ１２の小型化や低コスト化などを目的として、本実施例１ではリチウム電池を採用したが、本発明に係る「電源部」はリチウム電池に限定されるものではなく、電力を供給可能なものであればよい。従って、例えば、光エネルギーを電気エネルギーに変換可能な太陽電池や、機械エネルギーを電気エネルギーに変換可能な圧電式の発電装置などのように、電源部１２Ａが電力を自身で発電可能に構成されていれば、電池交換などの作業が不要となり、メンテナンス性を高めることができる上に、更なる省電力化を図ることができる。又、電源部１２Ａとして、発電機能の無いもの（例えば、リチウム電池）と、発電機能を有するもの（例えば、太陽電池）を併用することも考えられる。
【００１７】
タイマ起動部１２Ｂには、電源部１２Ａによって電力が常時供給されている。このタイマ起動部１２Ｂは、約２秒毎に発信部１２Ｅに対してトリガ信号Ｓ１を出力すると共に、定期的に（例えば、２４時間に１回）充電部１２Ｄに電源部１２Ａからの電力を供給し、充電部１２Ｄの充電を行う。なお、タイマ起動部１２Ｂから出力される「トリガ信号Ｓ１」は、発信部１２Ｅの電波発信に使用されるタイミング信号である。
センサスイッチ部１２Ｃは、図３に拡大して示されるように、無電力で作動するセンサ１２Ｃ１を備え、このセンサ１２Ｃ１がＯＮ状態の時に電源部１２Ａの電力を供給可能とし、センサ１２Ｃ１がＯＦＦ状態の時に電源部１２Ａの電力を供給不能とするように構成されている。このセンサスイッチ部１２Ｃには、例えば、磁性体からなるセンサを備えた感温磁性体センサスイッチや、形状記憶合金からなるセンサを備えた形状記憶合金センサスイッチなどの温度センサスイッチや、圧電素子やピエゾフィルム素子などからなるセンサを備えた外力起電型の振動センサスイッチや圧力センサスイッチなどを適用することができる。
なお、「センサ１２Ｃ１がＯＮ状態の時」とは、センサ１２Ｃ１が予め定められた閾値に基づいて検出対象である温度、振動、圧力などの異常を感知した状態をいい、「センサ１２Ｃ１がＯＦＦ状態の時」とは、センサ１２Ｃ１が検出対象である温度、振動、圧力などの異常を感知していない状態をいう。
図２に戻って、センサスイッチ部１２Ｃは、センサ１２Ｃ１が異常を感知した場合に、発信部１２Ｅに対して監視状態信号Ｓ２を出力する。この監視状態信号Ｓ２は、異常感知の有無を発信部１２Ｅに報知するための信号であり、例えば、センサ１２Ｃ１が異常を感知した場合には監視状態信号Ｓ２としてハイレベルの信号を出力し、センサ１２Ｃ１が異常を感知していない場合には監視状態信号Ｓ２としてローレベルの信号を出力する。なお、監視状態信号Ｓ２は発信部１２Ｅにおいてセンサスイッチ部１２Ｃの異常の有無が判別できるものであればよく、例えば、センサスイッチ部１２Ｃにおける異常の有無を通信で発信部１２Ｅに報知するように構成してもよい。
【００１８】
充電部１２Ｄは、本実施例１ではコンデンサによって構成され、上述したように、タイマ起動部１２Ｂを介して供給される電源部１２Ａの電力や、センサスイッチ部１２Ｃを介して供給される電源部１２Ａの電力を充電可能な構造となっている。
【００１９】
発信部１２Ｅは、タイマ起動部１２Ｂを介して充電部１２Ｄに充電された電力が所定の電力量に達した場合に起動する。そして、タイマ起動部１２Ｂからのトリガ信号Ｓ１に同期して定期的に（例えば、２４時間に１回や１時間に１回）所定の情報を無線で送信する（この場合、後述する監視状態フラグを０にセットしてワイヤレスセンサ１２が異常を感知していない旨を送信する）。より具体的には、発信部１２Ｅは、所定の情報を送信専用の単向モードを用いて特定小電力無線（１ｍＷ局）で外部に送信する。又、本実施例１では、所定の情報として、各ワイヤレスセンサ１２を特定するためのＩＤコード（１０進数で０〜６５５３５の数値）を示す１６ビットのデータと、各ワイヤレスセンサ１２における異常感知の有無を示す１ビットのデータ（監視状態フラグ）を送信する。このように、発信部１２Ｅでは、送信する情報を必要最低限の情報量（本実施例１では計１７ビットの情報量）に制限し、送信データ量を減らすと共に、送信出力が小さい特定小電力無線方式（１ｍＷ局）の単向モードでデータを送信することにより、省電力化が図られている。なお、本発明に係る「所定の情報」は、ＩＤコードや監視状態フラグに限定されるものではなく、他の情報を付加してもよい。又、その情報量は１７ビットに制限されるものでもない。
【００２０】
又、発信部１２Ｅは、センサスイッチ部１２Ｃを介して充電部１２Ｄに充電された電力が所定の電力量に達した場合（センサスイッチ部１２Ｃが異常を感知した場合）にも起動される。この場合、発信部１２Ｅは、センサスイッチ部１２Ｃからの監視状態信号Ｓ２に従って監視状態フラグを１にセットした後、タイマ起動部１２Ｂからのトリガ信号Ｓ１に同期して、例えば、約２秒に１回の周期でＩＤコードと監視状態フラグの情報を送信する（この場合、ワイヤレスセンサ１２が異常を感知した旨を送信する）。
＜中継機＞
【００２１】
図１に戻って、中継機１４は、１ｍＷ局の受信機１４Ａと、この受信機１４ＡにＲＳ２３２ＣケーブルＣ１を介して接続された１０ｍＷ局の送信機１４Ｂによって構成されている。この中継機１４は、ワイヤレスセンサ１２からの送信データを受信機１４Ａで受信すると共に、送信機１４Ｂから電波を増幅して出力する。
＜監視装置＞
【００２２】
監視装置１６は、中継機１４からの送信データを受信するための１０ｍＷ局の受信機１６Ａと、この受信機１６ＡにＲＳ２３２ＣケーブルＣ２を介して接続されたパーソナルコンピュータ１６Ｂによって構成されている。
パーソナルコンピュータ１６Ｂは、ＲＳ２３２Ｃ通信によって受信機１６Ａが受信した受信データを取得し、ワイヤレスセンサ１２の状態表示や各種設定を行う。
図４は、ワイヤレスセンサ１２の「ＩＤコード」や「設置場所等の説明」をパーソナルコンピュータ１６Ｂに登録するためのＩＤ設定画面の一例を示したものである。
【００２３】
まず、ワイヤレス監視システム１０では、このＩＤ設定画面を用いて、監視を行うワイヤレスセンサ１２の「ＩＤコード」と「設置場所等の説明」を登録する。なお、本実施例１では、合計で１０個（ＩＤ番号：ＩＤ０〜ＩＤ９）のワイヤレスセンサ１２の登録が可能となっている。
【００２４】
図５は、各ＩＤ番号に対応するワイヤレスセンサ１２の状態と、工場やビルなどの地図を表示する通信画面の一例を示したものである。
【００２５】
この通信画面のウィンドウＷ１には、各ワイヤレスセンサ１２の状態が示されるようになっており、本実施例１では、ワイヤレスセンサ１２が異常を感知していない場合であって、且つ、無線通信が良好の場合には緑色点灯、無線通信が不良の場合（例えば、電波障害等に起因する信号欠落や、リチウム電池切れ等に起因する通信エラー時）には黄色点灯、ワイヤレスセンサ１２が異常を感知した場合には赤色点灯が行われる。
又、通信画面のウィンドウＷ２には、ワイヤレスセンサ１２が配置される工場やビルなどの地図が表示されており、ウィンドウＷ１に表示されたワイヤレスセンサ１２のアイコンをウィンドウＷ２上にドラッグ＆ドロップすることで、各ワイヤレスセンサ１２のアイコンをウィンドウＷ２の地図上に表示することが可能となっている。そのため、各ワイヤレスセンサ１２の配設場所を地図によって容易に確認することができ、異常が発生した場所を迅速且つ的確に特定することができる。
図６は、各ワイヤレスセンサ１２の通信履歴を表示する通信履歴画面の一例を示したものである。
【００２６】
この通信履歴画面では、各ワイヤレスセンサ１２のＩＤコード、通信日時、通信間隔などを表示することができ、各ワイヤレスセンサ１２の状態を容易に確認することができる。なお、ワイヤレス監視システム１０は、図７に示されるように、通信ポート、ボーレート、ストップビット長などの通信パラメータを設定するための通信パラメータ設定画面を更に備えている。
【００２７】
以上説明したように、本実施例１に係るワイヤレス監視システム１０は、ワイヤレスセンサ１２と、このワイヤレスセンサ１２から発信される所定の情報（本実施例１では、ＩＤコードと監視状態フラグの情報）を受信して、この所定の情報に基づいて、少なくともワイヤレスセンサの設置場所及び異常感知の有無を監視することが可能な監視装置１６と、を有して構成されているため、ワイヤレスセンサ１２を工場やビルなどの要所に配設することによって、工場やビル内の異常の有無を監視することができる上に、異常の見つかった場所を容易に特定することができる。
【００２８】
又、複数のワイヤレスセンサ１２を備えているため、ワイヤレスセンサ１２を平面的に複数配置すれば（例えば、ビルの同じ階に複数配置すれば）平面的な異常を監視することができ、又、ワイヤレスセンサ１２を立体的に複数配置すれば（例えば、ビルの１階と２階に分けて配置すれば）立体的な異常を監視することができる。
【００２９】
なお、監視装置１６は、ワイヤレスセンサ１２の設置場所及び異常感知の有無の情報を少なくとも含むワイヤレスセンサ情報を外部に配信可能に構成されていれば、例えば、電話回線やインターネットを介してワイヤレスセンサ情報を取得することができ、監視装置１６から離れた場所においても工場やビル内の異常の有無を監視することができる。
又、本実施例１に係るワイヤレスセンサ１２は、センサスイッチ部１２Ｃと発信部１２Ｅとの間に、電源部１２Ａの電力を充電可能な充電部１２Ｄを更に配設したため、センサ１２Ｃ１が閾値近傍でＯＮ／ＯＦＦ状態を繰り返し、センサスイッチ部１２Ｃからの電力供給が不安定になった場合でも、充電部１２Ｄに充電された電力を発信部１２Ｅに供給することができ、発信部１２Ｅに安定的な電力を供給することができる。しかも、本実施例１のように、電源部１２Ａとして低電力のリチウム電池を適用した場合であっても、リチウム電池の電力を安定的に発信部１２Ｅに供給することができる。しかも、無線を利用するため、配線の引き回しが不要で取付が容易である。
【００３０】
更に、電源部１２Ａの電力を発信部１２Ｅに定期的に供給可能なタイマ起動部１２Ｂを更に備え、発信部１２Ｅは、タイマ起動部１２Ｂから電力を供給されて、所定の情報を定期的に外部に発信可能に構成されているため、センサ１２Ｃ１がＯＮ状態の時のみならず、センサ１２Ｃ１がＯＦＦ状態の時であっても所定の情報を定期的に外部に発信することができ、例えば、ワイヤレスセンサ１２が正常に稼動していることを定期的に外部に発信することができ、ワイヤレスセンサ１２の健全性を確認することができる（ワイヤレスセンサ１２のバッテリー切れや故障を把握することができる）。
【実施例２】
【００３１】
次に、図８を用いて、本発明の実施例２に係るワイヤレスセンサ３０について詳細に説明する。
【００３２】
このワイヤレスセンサ３０は、上記実施例１に係るワイヤレスセンサ１２のセンサスイッチ部１２Ｃに代えて、複数（本実施例では３つ）のセンサスイッチ部３２Ｃ１、３２Ｃ２、３２Ｃ３を備えたものである。なお、センサスイッチ部３２Ｃ１〜３２Ｃ３以外の他の構成については上記実施例１に係るワイヤレスセンサ１２と同一又は類似するため、同一又は類似する部分については図中において同一の符号を付すと共に、その説明は省略する。
【００３３】
本実施例に係るセンサスイッチ部３２Ｃ１〜３２Ｃ３は、例えば、温度が４０度以上の場合に異常を感知する温度センサスイッチと、温度が４５度以上の場合に異常を感知する温度センサスイッチと、温度が５０度以上の場合に異常を感知する温度センサスイッチと、によって構成することができる。このように、複数のセンサスイッチ部３２Ｃ１〜３２Ｃ３を備えたワイヤレスセンサ３０とすれば、複数種類の異常の有無を検出することが可能となる。なお、各センサスイッチ部３２Ｃ１〜３２Ｃ３における異常感知の有無を外部に発信するためには、上述の監視状態フラグをセンサスイッチ部３２Ｃ１〜３２Ｃ３に相当する数（本実施例２では、３ビット）だけ用意すれば足りる。
又、センサスイッチ部３２Ｃ１〜３２Ｃ３を、例えば、温度センサスイッチ、圧力センサスイッチ、振動センサスイッチとすることもできる。このように、複数のセンサスイッチ部３２Ｃ１〜３２Ｃ３の各々が、検出対象の相異なるセンサを備えていれば、異なる検出対象（この例では、温度、圧力、振動）の異常の有無を検出することが可能となる。
【００３４】
なお、本発明に係るワイヤレスセンサの構成は、上記実施例１及び２に係るワイヤレスセンサ１２、３０の構成に限定されるものではなく、例えば、図９に示されるワイヤレスセンサ４０のように、ワイヤレスセンサ１２からタイマ起動部１２Ｂを除いた構成とし、スイッチセンサ部１２Ｃが異常を感知した場合にのみ、発信部１２Ｅが所定の情報を無線で外部に送信するように構成してもよい。この場合、スイッチセンサ部１２ＣのセンサがＯＦＦ状態の時にはワイヤレスセンサ４０全体の消費電力を０にすることができる。そのため、従来よりも消費電力を大幅に削減することができ、保守に要する費用や時間の低減、装置の長寿命化を図ることができる。又、従来のワイヤレスセンサのように大容量の電源を搭載する必要が無いため、装置の小型化が容易で、様々な設備や機器に設置することができる。
又、センサスイッチ部１２Ｃが発信部１２Ｅに対して電源部１２Ａの電力を安定的に供給できる場合などには、上記図９に示されるワイヤレスセンサ４０から更に充電部１２Ｄを除いた構成を採用することもできる。
【００３５】
即ち、本発明に係るワイヤレスセンサは、電力を供給可能な電源部と、無電力で作動するセンサを備え、該センサがＯＮ状態の時に前記電源部の電力を供給可能とし、前記センサがＯＦＦ状態の時に前記電源部の電力を供給不能とするセンサスイッチ部と、該センサスイッチ部から前記電源部の電力を供給されて、所定の情報を無線で外部に発信可能な発信部と、を有して構成されていればよい。
【産業上の利用可能性】
【００３６】
本発明に係るワイヤレスセンサ及びワイヤレス監視システムは、例えば、工場の機器／盤内の熱感知、ケーブル／ラックの温度感知、配管の温度及び圧力感知、機器の振動感知、落石及び土壌崩壊（地すべり）感知、河川や地下水などの水位感知、地盤の土圧感知などに適用することができる。
【図面の簡単な説明】
【００３７】
【図１】本実施例１に係るワイヤレス監視システムの概略構成を示したシステム構成図
【図２】同ワイヤレス監視システムにおけるワイヤレスセンサの主要部のみを示したブロック図
【図３】同ワイヤレスセンサにおけるセンサスイッチ部の概略構成を示したシステム構成図
【図４】同ワイヤレス監視システムのＩＤ設定画面の一例を示した図
【図５】同ワイヤレス監視システムの通信画面の一例を示した図
【図６】同ワイヤレス監視システムの通信履歴画面の一例を示した図
【図７】同ワイヤレス監視システムの通信パラメータ設定画面の一例を示した図
【図８】本実施例２に係るワイヤレスセンサの主要部のみを示したブロック図
【図９】他の例に係るワイヤレスセンサの主要部のみを示したブロック図
【符号の説明】
【００３８】
１０、３０、４０・・・ワイヤレス監視システム
１２・・・ワイヤレスセンサ
１２Ａ・・・電源部
１２Ｂ・・・タイマ起動部
１２Ｃ、３２Ｃ１、３２Ｃ２、３２Ｃ３・・・センサスイッチ部
１２Ｃ１・・・センサ
１２Ｄ・・・充電部
１２Ｅ・・・発信部
１４・・・中継機
１６・・・監視装置
【図１】
2007108884.tif 000003
【図２】
2007108884.tif 000004
【図３】
2007108884.tif 000005
【図４】
2007108884.tif 000006
【図５】
2007108884.tif 000007
【図６】
2007108884.tif 000008
【図７】
2007108884.tif 000009
【図８】
2007108884.tif 000010
【図９】
2007108884.tif 000011